(57)【要約】【課題】既製の本符号化器を改良することなく、動き補償予測の性能を高めて、高画質な画像符号化を実現することができる画像符号化装置及び画像符号化プログラムを得ることを目的とする。【解決手段】画像加工部１により加工された映像信号に対する仮の符号化処理を実施して、仮の符号化処理の過程で得られる動きベクトルを出力する仮符号化器２を設け、本符号化器４が仮符号化器２から出力された動きベクトルを用いて、画像加工部１により加工される前の映像信号に対する符号化処理を実施して、圧縮画像を生成する。【選択図】図１
2010141706.tif 000002
【特許請求の範囲】
【請求項１】
動画像の映像信号を加工する画像加工手段と、上記画像加工手段により加工された映像信号に対する仮の符号化処理を実施して、仮の符号化処理の過程で得られる動きベクトルを出力する仮符号化手段と、上記仮符号化手段から出力された動きベクトルを用いて、上記画像加工手段により加工される前の映像信号に対する符号化処理を実施して、圧縮画像を生成する本符号化手段とを備えた画像符号化装置。
【請求項２】
画像加工手段は、動画像の映像信号を構成している輝度データの一部又は全部を、上記映像信号を構成している色差データに置換し、置換後の映像信号を加工後の映像信号として仮符号化手段に出力することを特徴とする請求項１記載の画像符号化装置。
【請求項３】
画像加工手段は、動画像の映像信号を構成している輝度データの一部又は全部を、上記映像信号を構成している輝度データと色差データの合成データに置換し、置換後の映像信号を加工後の映像信号として仮符号化手段に出力することを特徴とする請求項１記載の画像符号化装置。
【請求項４】
画像加工手段は、動画像における一部の領域を切り抜いて上記領域の画像を拡大し、拡大後の画像の映像信号を加工後の映像信号として仮符号化手段に出力することを特徴とする請求項１記載の画像符号化装置。
【請求項５】
画像加工手段は、動画像の映像信号に対する階調補正処理を実施し、階調補正後の映像信号を加工後の映像信号として仮符号化手段に出力することを特徴とする請求項１記載の画像符号化装置。
【請求項６】
画像加工手段は、動画像の映像信号に対する輪郭強調処理を実施し、輪郭強調後の映像信号を加工後の映像信号として仮符号化手段に出力することを特徴とする請求項１記載の画像符号化装置。
【請求項７】
本符号化手段は、圧縮画像を生成する際、画像加工手段により加工される前の映像信号に対する符号化処理を実施する際に得られる動きベクトルが、仮符号化手段から出力された動きベクトルよりも適正な動きベクトルである場合、上記符号化処理を実施する際に得られる動きベクトルを用いることを特徴とする請求項１から請求項６のうちのいずれか１項記載の画像符号化装置。
【請求項８】
本符号化手段は、画像加工手段により加工される前の映像信号に対する符号化処理を実施する際、仮符号化手段から出力された動きベクトルの符号量に応じて、符号化モードを選択することを特徴とする請求項１から請求項７のうちのいずれか１項記載の画像符号化装置。
【請求項９】
本符号化手段は、仮符号化手段から出力された動きベクトルの符号量に応じて、マクロブロックタイプ又はＧＯＰ内のＢスライスの挿入枚数を決定することを特徴とする請求項８記載の画像符号化装置。
【請求項１０】
動画像の映像信号を加工する画像加工処理手順と、上記画像加工処理手順により加工された映像信号に対する仮の符号化処理を実施して、仮の符号化処理の過程で得られる動きベクトルを出力する仮符号化処理手順と、上記仮符号化処理手順から出力された動きベクトルを用いて、上記画像加工処理手順により加工される前の映像信号に対する符号化処理を実施して、圧縮画像を生成する本符号化処理手順とをコンピュータに実行させるための画像符号化プログラム。
【発明の詳細な説明】
【技術分野】
【０００１】
この発明は、動画像の映像信号に対する符号化処理を実施して、圧縮画像を生成する画像符号化装置及び画像符号化プログラムに関するものである。
【背景技術】
【０００２】
画像符号化装置が動画像を実際に符号化する前に仮の符号化を実施し、仮の符号化の結果を用いて、適正な符号化パラメータを決定する２パスエンコード方式が知られている。
２パスエンコード方式を採用している画像符号化装置として、仮の符号化を実施する仮符号化器と、仮符号化器の仮符号化結果を用いて、画像に割り当てる符号量やビットレートを制御する本符号化器とを実装している画像符号化装置が以下の特許文献１，２に開示されている。
【０００３】
ただし、上記の画像符号化装置は、仮符号化器が仮の符号化過程で動きベクトルを抽出し、本符号化器がその動きベクトルを用いて、動画像を実際に符号化するものではない。
したがって、画像符号化装置の動き補償予測の性能を高めるには、例えば、最適な動きベクトルの抽出アルゴリズムを本符号化器に実装するなどの改良が必要である。
【０００４】
【特許文献１】特開２００２−２３２８８２号公報（段落［００１８］、図１）
【特許文献２】特開２００１−２４５３０３号公報（段落［００１０］、図１）
【発明の開示】
【発明が解決しようとする課題】
【０００５】
従来の画像符号化装置は以上のように構成されているので、本符号化器を改良すれば、動き補償予測の性能を高めることができるが、例えば、市販されている本符号化器を用いているような場合には、本符号化器を容易に改良することができず、動き補償予測の性能を高めることが困難であるなどの課題があった。
【０００６】
この発明は上記のような課題を解決するためになされたもので、既製の本符号化器を改良することなく、動き補償予測の性能を高めて、高画質な画像符号化を実現することができる画像符号化装置及び画像符号化プログラムを得ることを目的とする。
【課題を解決するための手段】
【０００７】
この発明に係る画像符号化装置は、画像加工手段により加工された映像信号に対する仮の符号化処理を実施して、仮の符号化処理の過程で得られる動きベクトルを出力する仮符号化手段を設け、本符号化手段が仮符号化手段から出力された動きベクトルを用いて、画像加工手段により加工される前の映像信号に対する符号化処理を実施して、圧縮画像を生成するようにしたものである。
【発明の効果】
【０００８】
この発明によれば、画像加工手段により加工された映像信号に対する仮の符号化処理を実施して、仮の符号化処理の過程で得られる動きベクトルを出力する仮符号化手段を設け、本符号化手段が仮符号化手段から出力された動きベクトルを用いて、画像加工手段により加工される前の映像信号に対する符号化処理を実施して、圧縮画像を生成するように構成したので、既製の本符号化器を改良することなく、動き補償予測の性能を高めて、高画質な画像符号化を実現することができる効果がある。
【発明を実施するための最良の形態】
【０００９】
実施の形態１．
図１はこの発明の実施の形態１による画像符号化装置を示す構成図である。
図１において、画像加工部１は動画像の映像信号を入力すると、その映像信号を加工して、加工後の映像信号（以下、「加工映像信号」と称する）を仮符号化器２に出力する処理を実施する。
映像信号を加工する処理の詳細は後述するが、例えば、その映像信号を構成している輝度成分（輝度データ）の一部を色差成分（色差データ）に置換する処理や、動画像の一部の領域の拡大処理や、動画像の階調補正・輪郭強調処理などが該当する。
なお、画像加工部１は画像加工手段を構成している。
【００１０】
仮符号化器２は例えば専用のＬＳＩによって実現され、画像加工部１から出力された加工映像信号に対する仮の符号化処理を実施して、仮の符号化処理の過程で得られる動きベクトルを本符号化器４に出力する処理を実施する。
なお、仮符号化器２は仮符号化手段を構成している。
【００１１】
遅延メモリ３は本符号化器４の符号化処理が、仮符号化器２から動きベクトルが得られた後に開始されるようにするために、動画像の映像信号を所定時間（例えば、数フレームまたは数ライン）だけ遅延させる。
本符号化器４は例えば専用のＬＳＩによって実現され、仮符号化器２から出力された動きベクトルを用いて、遅延メモリ３により遅延された映像信号に対する符号化処理を実施して、圧縮画像を生成する処理を実施する。
なお、遅延メモリ３及び本符号化器４から本符号化手段が構成されている。
【００１２】
図１では、画像符号化装置の構成要素である画像加工部１、仮符号化器２及び本符号化器４のそれぞれが専用のハードウェアで構成されているものを想定しているが、画像符号化装置がコンピュータで構成される場合、画像加工部１、仮符号化器２及び本符号化器４の処理内容が記述されているプログラムを当該コンピュータのメモリに格納し、当該コンピュータのＣＰＵが、当該メモリに格納されているプログラムを実行するようにしてもよい。
【００１３】
次に動作について説明する。
画像加工部１は、動画像の映像信号を入力すると、その映像信号を加工して、加工後の映像信号である加工映像信号を仮符号化器２に出力する。
以下、画像加工部１における映像信号の加工方法を具体的に説明する。
【００１４】
［加工方法１］
画像加工部１は、動画像の映像信号を構成している輝度データの一部又は全部を、その映像信号を構成している色差データに置換し、置換後の映像信号を加工映像信号として仮符号化器２に出力する。
ここで、図２は動画像の映像信号を構成している輝度データを色差データに置換している例を示す説明図である。
図２では、偶数列の輝度データ（図中、○印のデータ）を同一ポジションの色差データ（図中、◇印のデータ）に置換している例を示している。
【００１５】
この場合、仮符号化器２では、輝度と色差が足し合わされた空間で生成される動きベクトルを抽出することになり、本符号化器４が上記の動きベクトルを用いて動き補償予測を行うことになる。
このため、本符号化器４における動き補償予測が色差も考慮される分、輝度成分のみから算出された動きベクトルを用いる場合よりも、高い予測性能を得ることができる。
【００１６】
［加工方法２］
画像加工部１は、動画像の映像信号を構成している輝度データの一部又は全部を、その映像信号を構成している輝度データと色差データの合成データに置換し、置換後の映像信号を加工映像信号として仮符号化器２に出力する。
ここで、図３は動画像の映像信号を構成している輝度データを合成データに置換している例を示す説明図である。
図３では、下記に示すように、輝度データと色差データ（例えば、図中、当該輝度データの下隣りの色差データ）の加算結果を２で除算した結果を合成データとして、各輝度データを合成データに置換している例を示している。
合成データ＝（輝度データ＋色差データ)／２
【００１７】
この場合、仮符号化器２では、加工方法１と同様に、輝度と色差が足し合わされた空間で生成される動きベクトルを抽出することになり、本符号化器４が上記の動きベクトルを用いて動き補償予測を行うことになる。
このため、本符号化器４における動き補償予測が色差も考慮される分、輝度成分のみから算出された動きベクトルを用いる場合よりも、高い予測性能を得ることができる。
【００１８】
［加工方法３］
画像加工部１は、動画像における一部の領域を切り抜いて、一部の領域の画像を拡大し、拡大後の画像の映像信号を加工映像信号として仮符号化器２に出力する。
ここで、図４は動画像から主たる被写体を含むエリアを切り抜いて拡大している例を示す説明図である。
【００１９】
このように、拡大後の画像の映像信号を仮符号化器２に与えることで、仮符号化器２では、本来よりも細かい精度の動きベクトルが算出される。
仮符号化器２が、例えば、解像度を一旦低下させて動き補償予測を実行するような方式を採用している場合、算出される動きベクトルの精度が低下することがあるが、拡大後の画像の映像信号を仮符号化器２に与えていれば、解像度を一旦低下させる影響を消去することができる。
【００２０】
［加工方法４］
画像加工部１は、動画像の映像信号に対する階調補正処理を実施し、階調補正後の映像信号を加工映像信号として仮符号化器２に出力する。
即ち、画像加工部１は、符号化歪みが目立ち易い映像信号成分を強調するような階調補正を行う。
例えば、暗部（輝度レベルが低い部分）や赤色などの刺激色に対して、人間の視覚感度が上昇する傾向があるが、そのような信号成分に対しては階調を広くとり、逆に、視覚感度が鈍くなる成分に対しては階調を狭くとるような補正を行う。
【００２１】
階調が広がった領域については、画像上のテクスチャが強調されるため、仮符号化器２における動き補償予測がヒットし易くなり、例えば画像にノイズが重畳されている場合や、輝度レベルや色差レベルが近似した複数の被写体が画像上に混在しているような場合であっても、精度が良い動きベクトルを得ることができる。
図５は赤色のテクスチャを含む輝度レベルに対して、階調を広くとるように階調補正している例を示す説明図である。
【００２２】
［加工方法５］
画像加工部１は、動画像の映像信号に対する輪郭強調処理を実施し、輪郭強調後の映像信号を加工映像信号として仮符号化器２に出力する。
即ち、画像加工部１は、被写体の輪郭抽出処理を実施し、輪郭部分の映像信号成分に対してレベル強調を行う。
図６は被写体の輪郭に対して輪郭強調を実施している例を示す説明図である。
輪郭抽出処理としては、例えば、ＳｏｂｅｌやＰｒｅｗｉｔｔなどの既知の手法を用いるものとする。
また、レベル強調の処理は、輪郭周辺の輝度信号に対して、ハイパスフィルタ通過成分を重畳するなどの方法を用いるものとする。
【００２３】
レベル強調が行われた画像の映像信号を仮符号化器２に与えると、被写体のエッジが鮮明になるため、仮符号化器２がブロックマッチング法などの動き補償予測を実施すると、ノイズ等の影響を受けず、実際の動きに合った動きベクトルが算出されるようになる。
【００２４】
ここでは、５つの加工方法を例示したが、その他の加工方法を採用してもよい。
また、５つの加工方法のうちのいずれか１つを採用するのではなく、複数の加工方法を組み合わせて実施するようにすれば、相乗効果を得ることも可能である。
また、入力される動画像によって加工方法を切り替えることも有効である。
例えば、加工方法４の階調補正によって、画像上のノイズを増幅させる可能性がある場合には、その可能性を事前に判定し、悪影響を及ぼす加工方法４を使用しないなどの選択を行うようにすればよい。
【００２５】
仮符号化器２は、画像加工部１から加工映像信号を受けると、その加工映像信号に対する仮の符号化処理を実施し、仮の符号化処理の過程で得られる動きベクトルを本符号化器４に出力する。
即ち、仮符号化器２は、仮の符号化処理の過程で動き補償予測を実施することで、動きベクトルをマクロブロック単位や、マクロブロックを構成するパーティション単位で抽出する。
【００２６】
ＭＰＥＧ−２や、Ｈ．２６４／ＭＰＥＧ−４  ＡＶＣの符号化方式では、動き補償予測の方法として、ブロックマッチング法や勾配法によって、輝度信号の予測残差（入力画像とリファレンス画像間の輝度データの差分絶対値和など）や動きベクトルの符号量が、最小となる動きベクトルを最良のものとして算出する方法が広く用いられている。仮符号化器２でも、そのような一般的な方法を採用しているものとする。
なお、仮符号化器２では、最終的な圧縮映像信号を算出する必要がないので（最終的な圧縮映像信号は、本符号化器４が算出する）、ＭＰＥＧ−２やＨ．２６４／ＡＶＣなどの符号化方式に完全に準拠していなくても、動きベクトルの算出機能が備えられていればよい。
【００２７】
遅延メモリ３は、本符号化器４の符号化処理が、仮符号化器２から動きベクトルが得られた後に開始されるようにするため、入力された動画像の映像信号を一時的に格納して、その映像信号を所定時間（例えば、数フレームまたは数ライン）だけ遅延させる。
本符号化器４は、仮符号化器２から動きベクトルを受けると、その動きベクトルを用いて、遅延メモリ３により遅延された映像信号に対する符号化処理を実施して、圧縮画像を生成する。
即ち、本符号化器４は、仮符号化器２から出力された動きベクトルを用いて、動き補償予測を実施することで、遅延メモリ３により遅延された映像信号を符号化して圧縮画像を生成し、その圧縮画像の映像信号である圧縮映像信号を出力する。
【００２８】
以上で明らかなように、この実施の形態１によれば、画像加工部１により加工された映像信号に対する仮の符号化処理を実施して、仮の符号化処理の過程で得られる動きベクトルを出力する仮符号化器２を設け、本符号化器４が仮符号化器２から出力された動きベクトルを用いて、画像加工部１により加工される前の映像信号に対する符号化処理を実施して、圧縮画像を生成するように構成したので、既製の本符号化器４を改良することなく、動き補償予測の性能を高めて、高画質な画像符号化を実現することができる効果を奏する。
【００２９】
また、この実施の形態１によれば、画像加工部１が動画像の映像信号を構成している輝度データの一部又は全部を、その映像信号を構成している色差データに置換し、置換後の映像信号を加工映像信号として仮符号化器２に出力するように構成したので、本符号化器４における動き補償予測が色差も考慮されるようになり、その結果、輝度成分のみから算出された動きベクトルを用いる場合よりも、高い予測性能を得ることができる効果を奏する。
【００３０】
この実施の形態１によれば、画像加工部１が動画像の映像信号を構成している輝度データの一部又は全部を、その映像信号を構成している輝度データと色差データの合成データに置換し、置換後の映像信号を加工映像信号として仮符号化器２に出力するように構成したので、本符号化器４における動き補償予測が色差も考慮されるようになり、その結果、輝度成分のみから算出された動きベクトルを用いる場合よりも、高い予測性能を得ることができる効果を奏する。
【００３１】
また、この実施の形態１によれば、画像加工部１が動画像における一部の領域を切り抜いて、一部の領域の画像を拡大し、拡大後の画像の映像信号を加工映像信号として仮符号化器２に出力するように構成したので、仮符号化器２が解像度を一旦低下させて動き補償予測を実行するような方式を採用している場合でも、動きベクトルの算出精度の低下を防止することができる効果を奏する。
【００３２】
この実施の形態１によれば、画像加工部１が動画像の映像信号に対する階調補正処理を実施し、階調補正後の映像信号を加工映像信号として仮符号化器２に出力するように構成したので、例えば画像にノイズが重畳されている場合や、輝度レベルや色差レベルが近似した複数の被写体が画像上に混在しているような場合であっても、仮符号化器２が、精度が良い動きベクトルを得ることができる効果を奏する。
【００３３】
また、この実施の形態１によれば、画像加工部１が動画像の映像信号に対する輪郭強調処理を実施し、輪郭強調後の映像信号を加工映像信号として仮符号化器２に出力するように構成したので、仮符号化器２がノイズ等の影響を受けずに、実際の動きに合った動きベクトルを得ることができる効果を奏する。
【００３４】
実施の形態２．
上記実施の形態１では、本符号化器４が仮符号化器２から出力された動きベクトルを用いて、画像加工部１により加工される前の映像信号に対する符号化処理を実施して、圧縮画像を生成するものについて示したが、本符号化器４が自ら動きベクトルを算出し（例えば、図示せぬ内部の動き補償予測回路によって動きベクトルを算出）、その動きベクトルが、仮符号化器２から出力された動きベクトルよりも適正な動きベクトルである場合、自ら算出した動きベクトルを用いて、画像加工部１により加工される前の映像信号に対する符号化処理を実施するようにしてもよい。
【００３５】
例えば、本符号化器４は、仮符号化器２が正常に動作していない場合や、仮符号化器２から出力された動きベクトルの符号量より、自ら算出した動きベクトルの符号量が少ない場合、仮符号化器２から出力された動きベクトルを破棄し、自ら算出した動きベクトルを用いて、画像加工部１により加工される前の映像信号に対する符号化処理を実施するようにする。
【００３６】
また、本符号化器４は、画像加工部１により加工される前の映像信号に対する符号化処理を実施する際、仮符号化器２から出力された動きベクトルの符号量に応じて、符号化モードを選択する。
例えば、Ｈ．２６４や、ＭＰＥＧ−４  ＡＶＣ方式による符号化方式の場合、仮符号化器２から出力された動きベクトルの符号量を計算し、その符号量の大小によって、マクロブロックパーティションの選択や、片方向予測／双方向予測の選択などのマクロブロックタイプを決定する。
具体的には、仮符号化器２から出力された動きベクトルの符号量が所定の閾値より大きい場合、マクロブロックパーティションの分割数を削減したり、片方向予測を優先的に選択したりすることで、符号量の増加を抑制して、符号化効率を向上させるようにする。
また、本符号化器４は、符号量が大きい動きベクトルが、ピクチャ全体で多数を占める場合、ＧＯＰ（Ｇｒｏｕｐ  Ｏｆ  Ｐｉｃｔｕｒｅｓ）内のＢピクチャ（Ｂスライス）数を減らすことで、符号量を削減して、符号化効率の向上を実現するようにする。
【００３７】
以上で明らかなように、この実施の形態２によれば、本符号化器４が圧縮画像を生成する際、画像加工部１により加工される前の映像信号に対する符号化処理を実施する際に得られる動きベクトルが、仮符号化器２から出力された動きベクトルよりも適正な動きベクトルである場合、上記符号化処理を実施する際に得られる動きベクトルを用いるように構成したので、上記実施の形態１よりも更に動き補償予測の性能を高めることができる効果を奏する。
【００３８】
また、この実施の形態２によれば、本符号化器４が画像加工部１により加工される前の映像信号に対する符号化処理を実施する際、仮符号化器２から出力された動きベクトルの符号量に応じて、符号化モードを選択するように構成したので、符号量の増加を抑制して、符号化効率の向上を図ることができる効果を奏する。
【００３９】
実施の形態３．
上記実施の形態１では、仮符号化器２が画像加工部１により加工された映像信号に対する仮の符号化処理を実施して、仮の符号化処理の過程で得られる動きベクトルを本符号化器４に出力するものについて示したが、仮符号化器２が仮の符号化処理の過程で動きベクトルを抽出することが困難な場合には、図７に示すように、仮符号化器２が映像信号の符号化結果である圧縮映像信号を出力し、デコーダ５が仮符号化器２より出力された圧縮映像信号から動きベクトルを抽出するようにしてもよい。
【００４０】
実施の形態４．
図８はこの発明の実施の形態４による画像符号化装置を示す構成図であり、図において、図１と同一符号は同一又は相当部分を示すので説明を省略する。
データメモリ６は予め動きベクトルと色差の予測残差との対応関係を記憶しており、仮符号化器２から出力された動きベクトルに対応する色差の予測残差を本符号化器７に出力する。
本符号化器７は自ら動きベクトルと予測残差の算出処理を実施し、その予測残差にデータメモリ６から出力された色差の予測残差を加算し、加算後の予測残差が最小となる動きベクトルを用いて、遅延メモリ３により遅延された映像信号に対する符号化処理を実施して、圧縮画像を生成する処理を実施する。
なお、遅延メモリ３、データメモリ６及び本符号化器７から本符号化手段が構成されている。
【００４１】
上記実施の形態１〜３では、本符号化器４が外部（仮符号化器２又はデコーダ５）から通知された動きベクトルを使用できることを前提としているが、既製の符号化器の中には、外部から通知された動きベクトルを使用できないものも存在していると考えられる。
ただし、そのような符号化器でも、外部から通知された予測残差については使用できる場合がある。
そこで、この実施の形態４では、そのような符号化器で本符号化器７が構成されている場合を想定し、外部から通知された予測残差を用いて最良の動きベクトルを求めるようにしている。
【００４２】
次に動作について説明する。
画像加工部１は、動画像の映像信号を入力すると、その映像信号を加工して、加工後の映像信号である加工映像信号を仮符号化器２に出力する。
即ち、画像加工部１は、動画像の映像信号を構成している輝度データの全部を、その映像信号を構成している色差データに置換し、置換後の映像信号を加工映像信号として仮符号化器２に出力する。
【００４３】
仮符号化器２は、画像加工部１から加工映像信号を受けると、上記実施の形態１と同様に、その加工映像信号に対する仮の符号化処理を実施し、仮の符号化処理の過程で得られる動きベクトルをデータメモリ６に出力する。
データメモリ６は、予め動きベクトルと色差の予測残差との対応関係を記憶しており、仮符号化器２から動きベクトルを受けると、その動きベクトルに対応する色差の予測残差を本符号化器７に出力する。
【００４４】
本符号化器７は、自ら動きベクトルと予測残差の算出処理を実施する。
本符号化器７は、データメモリ６から色差の予測残差を受けると、その色差の予測残差を自ら算出した予測残差に加算する。
本符号化器７は、自ら算出した動きベクトルの中で、加算後の予測残差が最小となる動きベクトルを特定する。
加算後の予測残差が最小となる動きベクトルは、輝度と色差の双方が考慮された最適な動きベクトルである。
本符号化器７は、加算後の予測残差が最小となる動きベクトルを特定すると、その動きベクトルを用いて、遅延メモリ３により遅延された映像信号に対する符号化処理を実施して、圧縮画像を生成する。
【図面の簡単な説明】
【００４５】
【図１】この発明の実施の形態１による画像符号化装置を示す構成図である。
【図２】動画像の映像信号を構成している輝度データを色差データに置換している例を示す説明図である。
【図３】動画像の映像信号を構成している輝度データを合成データに置換している例を示す説明図である。
【図４】動画像から主たる被写体を含むエリアを切り抜いて拡大している例を示す説明図である。
【図５】赤色のテクスチャを含む輝度レベルに対して、階調を広くとるように階調補正している例を示す説明図である。
【図６】被写体の輪郭に対して輪郭強調を実施している例を示す説明図である。
【図７】この発明の実施の形態３による画像符号化装置を示す構成図である。
【図８】この発明の実施の形態４による画像符号化装置を示す構成図である。
【符号の説明】
【００４６】
１  画像加工部（画像加工手段）、２  仮符号化器（仮符号化手段）、３  遅延メモリ（本符号化手段）、４  本符号化器（本符号化手段）、５  デコーダ（仮符号化手段）、６  データメモリ（本符号化手段）、７  本符号化器（本符号化手段）。
【図１】
2010141706.tif 000003
【図２】
2010141706.tif 000004
【図３】
2010141706.tif 000005
【図４】
2010141706.tif 000006
【図５】
2010141706.tif 000007
【図６】
2010141706.tif 000008
【図７】
2010141706.tif 000009
【図８】
2010141706.tif 000010